(57)【特許請求の範囲】
【請求項１】
保管時に、容器にキャップを取り付けて噴射ボタンを被うエアゾール容器において、
前記キャップにボタン押下板と複数の弾性片とを備え、
前記キャップには、頂壁に開口を設け、
前記弾性片は、それぞれ前記開口の周縁から前記キャップ内に向けてのばし、折り返してＵ字状に設け、
前記ボタン押下板は、前記弾性片の先端で支持してなり、前記キャップを反転して前記容器上に被せたとき、前記噴射ボタンを当てるように設け、
前記弾性片の弾性力は、前記ボタン押下板に前記噴射ボタンを当てて後、前記キャップを押し下げたとき、弾性力に抗して前記ボタン押下板を移動可能とする一方、移動にともないその弾性力が一定以上増大したとき今度はその弾性力で前記噴射ボタンを押し下げる強さとしてなる、エアゾール容器。
【請求項２】
前記ボタン押下板に前記噴射ボタンを当てて前記キャップを押し下げたとき、容器に掛け止める掛止突起を、前記キャップに備えてなる、請求項1に記載のエアゾール容器。
【請求項３】
前記ボタン押下板に前記噴射ボタンを当てて前記キャップを押し下げたとき、容器に突き当てる突当突起を、前記キャップに備えてなる、請求項1、または２に記載のエアゾール容器。
【発明の詳細な説明】
【０００１】
【発明の属する技術分野】
この発明は、殺虫剤・塗料・化粧料・洗剤などの内容物を容器内に収容するエアゾール容器に関する。保管時は、容器にキャップを取り付けて噴射ボタンを被い、、使用時は、キャップを外して噴射ボタンを押し下げ、その噴射ボタンの噴射口から容器内の内容物を噴射するエアゾール容器に関する。
【０００２】
【従来の技術】
従来、この種のエアゾール容器には、たとえば図５に示すようなキャップ１を使用するものがある（特開平１１−７０９８６号公報参照）。
【０００３】
このようなエアゾール容器では、キャップ１の周壁に周方向に平行な切込みａ・ｂを設けて反転係止板２を形成し、通常時は、（ａ）に示すように外向きに膨らませて使用し、図６中鎖線で示すように容器３に取り付けて鎖線状態にある噴射ボタン４を被ってなる。
【０００４】
容器内の内容物を使い切って使用済みとなり、廃棄すべくガス抜きを行うときは、反転係止板２を反転して（ｂ）に示すように内向きに膨らませて使用し、図６中実線で示すように容器３に取り付けて反転係止板２で噴射ボタン４を押し下げ、容器３内の残留ガスを噴射口５から完全に噴射していた。
【０００５】
【発明が解決しようとする課題】
ところが、このような従来のエアゾール容器では、反転係止板２をキャップ１の定位置に形成するから、噴射ボタン４の高さ位置が異なれば、ガス抜きを行うことができず、対応する位置に反転係止板２を有する別のキャップを準備しなければならない問題があった。
【０００６】
そこで、この発明の課題は、そのような従来の問題を解消し、噴射ボタンの高さ位置が異なるエアゾール容器でも、同一のキャップでガス抜き可能とし、キャップを共通化してコストダウンを図ることにある。
【０００７】
【課題を解決するための手段】
そのため、この発明は、保管時に、容器にキャップを取り付けて噴射ボタンを被うエアゾール容器において、
キャップにボタン押下板と複数の弾性片とを備え、
キャップには、頂壁に開口を設け、
弾性片は、それぞれ開口の周縁からキャップ内に向けてのばし、折り返してＵ字状に設け、
ボタン押下板は、弾性片の先端で支持してなり、キャップを反転して容器上に被せたとき、噴射ボタンを当てるように設け、
弾性片の弾性力は、ボタン押下板に噴射ボタンを当てて後、キャップを押し下げたとき、弾性力に抗してボタン押下板を移動可能とする一方、移動にともないその弾性力が一定以上増大したとき今度はその弾性力で噴射ボタンを押し下げる強さとしてなる、ことを特徴とする。
【０００８】
そして、ガス抜きを行うとき、容器からキャップを外し、反転して再び容器に被せ、ボタン押下板に噴射ボタンを当ててキャップの押し下げとともに、弾性片の弾性力に抗してボタン押下板を移動する。弾性片の弾性力の増大にともない、やがて一定以上となったときその弾性力で今度は噴射ボタンを押し下げ、噴射ボタンから内容物を噴射する。
【０００９】
この発明では、ボタン押下板に噴射ボタンを当ててキャップを押し下げたとき、容器に掛け止める掛止突起を備えるとよく、またそのとき容器に突き当てる突当突起を備えるとよい。
【００１０】
【発明の実施の形態】
以下、図面を参照しつつ、この発明の実施の形態を説明する。
図１にはこの発明によるエアゾール容器で用いるキャップの平面を示し、図２にはそのＡ−Ａ線に沿う縦断面を示す。
【００１１】
図中符号１０で示すキャップは、円筒状の周壁１２と、その上側開口を塞ぐ頂壁１４とからなる。周壁１２の内周面には、縦方向に直線的にのびる補強リブ１６を複数設ける。下縁内周には、周方向にのびる長さの短い係合突起１７を同一円周上に複数設ける。
【００１２】
一方、頂壁１４には、中央に開口１８を設けてその周縁から下向きに短筒部１９を形成する。さらに、その短筒部１９の下端からは、９０度の間隔を隔てて帯状の４つの弾性片２０を下向きにのばす。
【００１３】
弾性片２０は、内向きに折り返してＵ字状に設け、先端でボタン押下板２１を支持する。ボタン押下板２１は、円板状で、弾性片２０間を短筒部１９の内周までのばし、自然状態では短筒部１９の下方入口で開口１８を塞ぐように設けてなる。
【００１４】
短筒部１９の内周面には、開口１８の入口に、周方向にのびる長さの短い掛止突起２３を同一円周上に複数備える。また、それよりも下方位置で弾性片２０間には、それぞれ突当突起２４を２つずつ備える。
【００１５】
このように図1および図2に示すキャップ１０は、通常時は、下方から押し上げてボタン押下板２１を弾性片２０に抗して持ち上げ、突当突起２４を乗り越えて図３に示すように開口１８の入口まで平行移動し、弾性片２０の弾性力に基づく戻りを突当突起２４で阻止する。
【００１６】
そして、保管時は、図３に示すように、容器３０に被せ、係合突起１７を下巻き締め部３１のあごにはめ付けて取り付け、ステム３２に取り付けた噴射ボタン３３を被う。
【００１７】
容器３０は、缶状で、その中に殺虫剤・塗料・化粧料・洗剤などの内容物を収容してなる。
【００１８】
このエアゾール容器を使用するときは、容器３０からキャップ１０を外し、指を掛けて噴射ボタン３３を押し下げ、ステム３２を押し込んで容器３０内の内容物を噴射ボタン３３の噴射口３４から噴射する。
【００１９】
ところで、経時、使用によって容器３０内の内容物がなくなり、上記エアゾール容器を廃棄するときは、容器３０からキャップ１０を外し、図４に示すように反転し、図示省略するが、たとえば中にウエスなどを詰めてから、図示するように反転した状態で再び容器３０上に被せ、ボタン押下板２１に噴射ボタン３３を当ててキャップ１０の押し下げとともに、ボタン押下板２１を突当突起２４を乗り越えて持ち上げ、弾性片２０の弾性力に抗して平行移動する。
【００２０】
そして、弾性片２０の弾性力の増大にともない、やがて一定以上となったとき今度はその弾性力で噴射ボタン３３を押し下げ、噴射口３４から内容物の噴射を開始する。それから、図４に示すように、開口１８内に上巻き締め部３５を入れ、その上巻き締め部３５のあごに掛止突起２３を掛け止め、同上巻き締め部３５の周縁に突当突起２４を突き当てて傾きを阻止し、姿勢を保持してキャップ１０を容器３０に取り付ける。
【００２１】
このとき、弾性片２０の弾性力で噴射ボタン３３の押し下げ状態を保持し、容器３０内の残留ガスを残らず噴射して完全なガス抜きを行う。
【００２２】
なお、図示例では、４つの弾性片２０を設けたが、弾性片は４つに限らないことはいうまでもない。
【００２３】
【発明の効果】
以上のとおり、この発明によれば、ガス抜きを行うとき、容器から外したキャップを反転して再び容器に被せ、そのキャップの押し下げとともに弾性片の弾性力で噴射ボタンを押し下げるから、ガス抜き時に噴射ボタンを取り外す必要がなく、ガス抜き作業を簡単とすることができる。
【００２４】
また、キャップの押し下げとともに弾性片の弾性力に抗してボタン押下板を移動し、弾性片の弾性力が一定以上となったとき今度はその弾性力で噴射ボタンを押し下げるから、噴射ボタンの高さ位置が異なるエアゾール容器でも、同一のキャップでガス抜き可能とし、キャップを共通化してコストダウンを図ることができる。
【００２５】
さらに、この発明によれば、反転したキャップ内にウエス等の挿入を可能とするから、ガスが大量に残留している場合でも、ウエス等で吸収して内容物がまわりに飛散することを防止することができる。特に、噴射口から一方向にのみガスを勢いよく噴射する場合、キャップの内面に当たってはね返り、混入する内容物が広範囲にまわりを汚すおそれがあるが、この発明によればそのようなおそれをなくすことができる。
【００２６】
請求項２に係る発明によれば、ボタン押下板に噴射ボタンを当ててキャップを押し下げたとき、容器のたとえば巻き締め部に掛け止める掛止突起を、キャップに備えるから、ガス抜き時に容器にキャップを取り付けてその取り付け状態を保持することができる。
【００２７】
請求項３に係る発明によれば、ボタン押下板に噴射ボタンを当ててキャップを押し下げたとき、容器のたとえば巻き締め部の周縁に突き当てる突当突起を、キャップに備えるから、ガス抜き時に容器にキャップを取り付けたとき傾きをなくしてキャップの姿勢を保持することができる。
【図面の簡単な説明】
【図１】この発明によるエアゾール容器で用いるキャップの平面図である。
【図２】そのＡ−Ａ線に沿う縦断面図である。
【図３】保管時にそのキャップを容器に取り付けた状態の縦断面図である。
【図４】ガス抜き時に同キャップを反転して容器に取り付けた状態の縦断面図である。
【図５】従来のエアゾール容器で用いるキャップの斜視図で、（ａ）は通常時、（ｂ）はガス抜き時を示す。
【図６】ガス抜き時に同キャップを容器に取り付けた状態の縦断面図である。
【符号の説明】
１０    キャップ
１２    周壁
１４    頂壁
１７    係合突起
１８    開口
１９    短筒部
２０    弾性片
２１    ボタン押下板
２３    掛止突起
２４    突当突部
３０    容器
３１    下巻き締め部
３２    ステム
３３    噴射ボタン
３４    噴射口
３５    上巻き締め部
【図１】
0004321906.tif 000002
【図２】
0004321906.tif 000003
【図３】
0004321906.tif 000004
【図４】
0004321906.tif 000005
【図５】
0004321906.tif 000006
【図６】
0004321906.tif 000007